【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
アノードとアノード電解質とを接触させるステップであって、ここで、前記アノード電解質が、可変の酸化状態の金属イオンおよびアルカリ金属イオンを水性媒体中に含むステップと、
前記アノードおよびカソードに電圧を引加してそして前記アノードにおいて、前記可変の酸化状態の金属イオンをより低い酸化状態からより高い酸化状態へと酸化させるステップと、
前記カソードとカソード電解質とを接触させるステップであって、ここで、前記カソードが酸素脱分極カソードである、ステップと、
前記水性媒体中で、前記より高い酸化状態の前記金属イオンを含む前記アノード電解質と不飽和炭化水素または飽和炭化水素とを反応させるステップと
を含む方法。
【請求項２】
前記カソードにおいてアルカリまたは水を形成するステップをさらに含む、請求項１に記載の方法。
【請求項３】
前記酸素脱分極カソードが、酸素および水を水酸化物イオンに還元するか；または、前記酸素脱分極カソードが、塩酸および酸素ガスを反応させて水を形成する、請求項１または２に記載の方法。
【請求項４】
前記可変の酸化状態の金属イオンが、鉄、クロム、銅、スズ、銀、コバルト、ウラン、鉛、水銀、バナジウム、ビスマス、チタン、ルテニウム、オスミウム、ユウロピウム、亜鉛、カドミウム、金、ニッケル、パラジウム、白金、ロジウム、イリジウム、マンガン、テクネチウム、レニウム、モリブデン、タングステン、ニオブ、タンタル、ジルコニウム、ハフニウム、およびこれらの組合せからなる群から選択される、請求項１〜３のいずれか一項に記載の方法。
【請求項５】
前記可変の酸化状態の金属イオンが、鉄、クロム、銅、およびスズからなる群から選択される、請求項１〜４のいずれか一項に記載の方法。
【請求項６】
前記可変の酸化状態の金属イオンが、銅である、請求項１〜５のいずれか一項に記載の方法。
【請求項７】
前記可変の酸化状態の金属イオンの前記より低い酸化状態が、１＋、２＋、３＋、４＋、または５＋である、請求項１〜５のいずれか一項に記載の方法。
【請求項８】
前記可変の酸化状態の金属イオンの前記より高い酸化状態が、２＋、３＋、４＋、５＋、または６＋である、請求項１〜５および７のいずれか一項に記載の方法。
【請求項９】
前記可変の酸化状態の金属イオンが、Ｃｕ＋からＣｕ２＋へと変換される銅、Ｆｅ２＋からＦｅ３＋へと変換される鉄、Ｓｎ２＋からＳｎ４＋へと変換されるスズ、Ｃｒ２＋からＣｒ３＋へと変換されるクロム、およびＰｔ２＋からＰｔ４＋へと変換される白金からなる群から選択される、請求項１〜５、７および８のいずれか一項に記載の方法。
【請求項１０】
前記アノードにおいてガスが使用も形成もされない、請求項１〜９のいずれか一項に記載の方法。
【請求項１１】
リガンドを前記アノード電解質に加えるステップであって、ここで、前記リガンドが、前記より高い酸化状態の前記金属イオンと相互作用するステップをさらに含む、請求項１〜１０のいずれか一項に記載の方法。
【請求項１２】
前記不飽和炭化水素または前記飽和炭化水素と、前記より高い酸化状態の前記金属イオンを含む前記アノード電解質との反応が、それぞれハロ炭化水素またはスルホ炭化水素をもたらす前記より高い酸化状態の前記金属ハロゲン化物または前記金属硫酸塩、および前記より低い酸化状態の前記金属ハロゲン化物または前記金属硫酸塩を使用したハロゲン化またはスルホン化である、請求項１〜１１のいずれか一項に記載の方法。
【請求項１３】
前記より低い酸化状態の前記金属ハロゲン化物または前記金属硫酸塩を再循環させて前記アノード電解質に戻す、請求項１２に記載の方法。
【請求項１４】
前記より高い酸化状態の前記金属イオンおよび前記より低い酸化状態の前記金属イオンが両方とも前記アノード電解質中に存在する、請求項１〜１３のいずれか一項に記載の方法。
【請求項１５】
前記不飽和炭化水素がエチレンであってこれが、前記より高い酸化状態の前記金属イオンを含む前記アノード電解質と反応して、二塩化エチレンを形成する、請求項１〜１４のいずれか一項に記載の方法。
【請求項１６】
前記反応が、さらに、クロロエタノール、トリクロロエタン、クロラール、抱水クロラール、１，１−ジクロロエタン、トリクロロエチレン、テトラクロロエテン、１，１，２，２−テトラクロロエタン、またはこれらの組合せを形成する、請求項１５に記載の方法。
【請求項１７】
前記不飽和炭化水素が、エチレン、プロピレン、またはブチレンであり、それが、前記より高い酸化状態の前記金属イオンを含む前記アノード電解質と反応して、二塩化エチレン、二塩化プロピレンまたは１，４−ジクロロブタンをそれぞれ形成する、請求項１〜１４のいずれか一項に記載の方法。
【請求項１８】
請求項１７に記載の方法であって、それにより得られた前記二塩化エチレンを使用して、塩化ビニルモノマーおよびポリ（塩化ビニル）を形成するステップをさらに含む、方法。
【請求項１９】
前記飽和炭化水素が、メタン、エタン、またはプロパンである、請求項１〜１４のいずれか一項に記載の方法。
【請求項２０】
アノードおよびカソードに電圧を印加するように構成されている電源と、
前記アノードおよびアノード電解質と接触しているアノード室であって、ここで、前記アノード電解質が可変の酸化状態の金属イオンおよびアルカリ金属イオンを水性媒体中に含み、ここで、前記アノードが、前記可変の酸化状態の金属イオンをより低い酸化状態からより高い酸化状態へと酸化させるように構成されているアノード室と、
前記カソードおよびカソード電解質を含むカソード室であって、ここで、前記カソードが酸素脱分極カソードである、カソード室と、
前記アノード室に動作可能に接続されており、かつ水性媒体中で前記より高い酸化状態の前記金属イオンを含む前記アノード電解質と不飽和炭化水素または飽和炭化水素とを反応させるように構成されている反応器と
を含む、システム。
【請求項２１】
請求項２０に記載のシステムであって、ここで、前記酸素脱分極カソードが酸素ガスと水を反応させて水酸化物イオンを形成するように構成されているか、または前記酸素脱分極カソードが塩酸と酸素を反応させて水を形成するように構成されている、システム。
【請求項２２】
前記アノードが、ガスを形成しないように構成されている、請求項２０または２１に記載のシステム。
【請求項２３】
前記可変の酸化状態の金属イオンが、銅である、請求項２０〜２２のいずれか一項に記載のシステム。
【請求項２４】
前記不飽和炭化水素が、エチレンであり、そして前記反応器が、二塩化エチレンを形成するように構成されている、請求項２０〜２３のいずれか一項に記載のシステム。
【請求項２５】
前記不飽和炭化水素が、Ｃ２〜Ｃ１０アルケンであるか、または前記飽和炭化水素が、Ｃ２〜Ｃ１０アルカンであり、そしてここで、前記反応器が、不飽和炭化水素または前記飽和炭化水素を、前記より高い酸化状態の前記可変の酸化状態の金属イオンを含む前記アノード電解質と反応させてハロ炭化水素またはスルホ炭化水素および前記より低い酸化状態の前記可変の酸化状態の金属イオンを生成するように構成されている、
請求項２０〜２３のいずれか一項に記載のシステム。
【請求項２６】
前記可変の酸化状態の金属イオンが、Ｃｕ＋からＣｕ２＋へと変換される銅、Ｆｅ２＋からＦｅ３＋へと変換される鉄、Ｓｎ２＋からＳｎ４＋へと変換されるスズ、Ｃｒ２＋からＣｒ３＋へと変換されるクロム、およびＰｔ２＋からＰｔ４＋へと変換される白金からなる群から選択される、請求項２０〜２２、２４および２５のいずれか一項に記載のシステム。